(57)【要約】【課題】  定格の最高回転速度でファンを回転可能なファン回転速度制御回路を提供する。【解決手段】  検出モジュール１３０の検出素子１３２は、環境温度の変化に応じて抵抗値を変化する。検出素子１３２は、第一抵抗器１３１と並列に接続される。トリガダイオード１５０は、第一抵抗器１３１、検出素子１３２及びキャパシタ１４０に電気的に接続される。双方向サイリスタ１６０の第一端子１６１は第一抵抗器１３１、検出素子１３２及びコイル巻線１２０に電気的に接続される。第二端子１６２はキャパシタ１４０及び交流電源１１０に電気的に接続される。ゲート１６３は、トリガダイオード１５０に電気的に接続される。これにより、検出素子１３２により検出される環境温度の変化に応じて、ファンの回転速度を調節するように制御するとともにファンで定められている最高回転速度でファンを回転することができる。【選択図】  図３
0003174467.tif 000002
【実用新案登録請求の範囲】
【請求項１】
ファンの回転速度を制御するファン回転速度制御回路であって、
交流電源と、
前記交流電源に電気的に接続されるコイル巻線と、
第一抵抗器及び検出素子からなり、前記第一抵抗器及び前記検出素子は前記コイル巻線に電気的に接続され、前記第一抵抗器と前記検出素子とは並列に接続される検出モジュールと、
前記第一抵抗器及び前記検出素子に電気的に接続されるキャパシタと、
前記第一抵抗器、前記検出素子及び前記キャパシタに電気的に接続されるトリガダイオードと、
第一端子、第二端子及びゲートからなり、前記第一端子は前記第一抵抗器、前記検出素子及び前記コイル巻線に電気的に接続され、前記第二端子は前記キャパシタ及び前記交流電源に電気的に接続され、前記ゲートは前記トリガダイオードに電気的に接続される双方向サイリスタと、
を備えることを特徴とするファン回転速度制御回路。
【請求項２】
前記検出素子は、温度検出素子であり、正特性サーミスタ、或いは負特性サーミスタの何れか一つであることを特徴とする請求項１に記載のファン回転速度制御回路。
【請求項３】
前記検出素子は、光検出素子であることを特徴とする請求項１に記載のファン回転速度制御回路。
【請求項４】
前記検出モジュールは、前記検出素子及び前記キャパシタに電気的に接続される第二抵抗器を更に有することを特徴とする請求項１に記載のファン回転速度制御回路。
【考案の詳細な説明】
【技術分野】
【０００１】
本考案は、ファン回転速度制御回路に関し、より詳しくは、環境変化に応じてファンの回転速度を制御するファン回転速度制御回路に関する。
【背景技術】
【０００２】
図１によれば、従来のファン回転速度制御回路２００は、交流電源２１０、コイル巻線２２０、抵抗器２３０、可変抵抗器２４０、キャパシタ２５０、トリガダイオード２６０、及び双方向サイリスタ２７０を有する。コイル巻線２２０は、交流電源２１０に電気的に接続される。抵抗器２３０及び双方向サイリスタ２７０の一端は、コイル巻線２２０に電気的に接続される。抵抗器２３０の他端は、可変抵抗器２４０に電気的に接続される。キャパシタ２５０は、可変抵抗器２４０に電気的に接続される。抵抗器２３０と、可変抵抗器２４０と、キャパシタ２５０とは順に直列に接続する。トリガダイオード２６０の一端は、可変抵抗器２４０及びキャパシタ２５０に電気的に接続される。トリガダイオード２６０の他端は、双方向サイリスタ２７０のゲート２７１に電気的に接続される。ファン回転速度制御回路２００は、可変抵抗器２４０の抵抗値の変化に応じてファンの回転速度を変化させる。
【考案の概要】
【考案が解決しようとする課題】
【０００３】
しかしながら、前述した技術では、ファンの回転速度は抵抗器２３０により制限されてしまい、図２に示すように当該ファンで定められている最高回転速度でファンを回転することができない。
【０００４】
本考案は、このような従来の問題に鑑みてなされたものであり、本考案の目的は、定格の最高回転速度でファンを回転可能なファン回転速度制御回路を提供することにある。
【課題を解決するための手段】
【０００５】
本考案のファン回転速度制御回路は、交流電源、交流電源に電気的に接続されるコイル巻線、第一抵抗器及び検出素子からなる検出モジュール、第一抵抗器及び検出素子に電気的に接続されるキャパシタ、トリガダイオード、及び双方向サイリスタを備える。検出モジュールの第一抵抗器及び検出素子は、コイル巻線に電気的に接続され、第一抵抗器と検出素子とは並列に接続される。トリガダイオードは、第一抵抗器、検出素子及びキャパシタに電気的に接続される。双方向サイリスタは、第一端子、第二端子及びゲートからなり、第一端子は第一抵抗器、検出素子及びコイル巻線に電気的に接続される。第二端子はキャパシタ及び交流電源に電気的に接続される。ゲートはトリガダイオードに電気的に接続される。
【０００６】
本考案のファン回転速度制御回路では、検出素子により検出する環境温度の変化、環境光の変化などの外部環境の変化に応じて、ファンの回転速度を調節するように制御することができる。また、本考案のファン回転速度制御回路は、ファンで定められている最高回転速度でファンを回転することができる。
【図面の簡単な説明】
【０００７】
【図１】従来のファン回転速度制御回路の回路図である。
【図２】従来のファン回転速度制御回路によるファンの回転速度の変化率を示す説明図である。
【図３】本考案に係る第１実施形態のファン回転速度制御回路の回路図である。
【図４】本考案に係る第１実施形態のファン回転速度制御回路によるファンの回転速度を示す説明図である。
【図５】本考案に係る第２実施形態のファン回転速度制御回路の回路図である。
【図６】本考案に係る第２実施形態のファン回転速度制御回路によるファンの回転速度を示す説明図である。
【考案を実施するための形態】
【０００８】
以下、本考案の複数の実施形態を図面に基づいて説明する。なお、本考案は、以下に説明する実施形態に限定されるものではない。
【０００９】
（第１実施形態）
図３に示すように、第１実施形態によるファン回転速度制御回路１００は、交流電源１１０、交流電源１１０に電気的に接続されるコイル巻線１２０、検出モジュール１３０、キャパシタ１４０、トリガダイオード１５０及び双方向サイリスタ１６０を備える。
【００１０】
検出モジュール１３０は、第一抵抗器１３１及び検出素子１３２からなる。検出素子１３２は、図示しないファンが配置される環境温度の変化を検出する。検出素子１３２は、温度検出素子であり、本実施形態では、正特性サーミスタ(ｐｏｓｉｔｉｖｅ  ｔｅｍｐｅｒａｔｕｒｅ  ｃｏｅｆｆｉｃｉｅｎｔ  ｔｈｅｒｍｉｓｔｏｒ（ＰＴＣ  ｔｈｅｒｍｉｓｔｏｒ)）が用いられる。検出モジュール１３０は、コイル巻線１２０に電気的に接続される。また、検出モジュール１３０の第一抵抗器１３１は、検出素子１３２と並列に接続されている、
【００１１】
キャパシタ１４０は、検出モジュール１３０に電気的に接続される。また、トリガダイオード１５０は、検出モジュール１３０及びキャパシタ１４０に電気的に接続される。
【００１２】
双方向サイリスタ１６０は、第一端子１６１、第二端子１６２及びゲート１６３を有する。第一端子１６１は、検出モジュール１３０及びコイル巻線１２０に電気的に接続される。また、第二端子１６２は、キャパシタ１４０及び交流電源１１０に電気的に接続される。また、ゲート１６３はトリガダイオード１５０に電気的に接続される。
【００１３】
交流電源１１０により供給される交流電流は、コイル巻線１２０、第一抵抗器１３１及び検出素子１３２を経由してキャパシタ１４０へ供給される。キャパシタ１４０では、充電によってキャパシタ１４０の電圧が所定値まで上昇すると、トリガダイオード１５０が導通する。また、キャパシタ１４０の電圧変化がトリガダイオード１５０を伝わると、双方向サイリスタ１６０のゲート１６３にトリガ電流が流れ、双方向サイリスタ１６０の第１端子１６１及び第２端子１６２は導通するため、キャパシタ１４０は放電する。放電が終了すると、双方向サイリスタ１６０の第１端子１６１と第２端子１６２とは非導通となる。
【００１４】
このように、第１実施形態のファン回転速度制御回路１００は、キャパシタ１４０の充放電サイクルを繰り返すことで、トリガダイオード１５０を制御し、トリガダイオード１５０により通電されるゲート電流の通電タイミングによって、双方向サイリスタ１６０がオンとなる位相角を制御する。
【００１５】
また、第１実施形態のファン回転速度制御回路１００では、環境温度が変化すると検出素子１３２の抵抗値が環境温度の変化に応じて変化する。これにより、検出モジュール１３０の抵抗値が変化するため、トリガダイオード１５０が双方向サイリスタ１６０の位相角を変更させ、ファン回転速度を調整する。したがって、ファンの回転速度が変化し、図４に示すようにファンの回転速度が速くなる場合、第一傾斜線Ｓ１となる。
【００１６】
第１実施形態のファン回転速度制御回路１００では、第一抵抗器１３１と並列に接続される検出素子１３２が環境温度の変化を検出することにより、検出モジュール１３０の抵抗値が環境温度の変化に応じて変化する。トリガダイオード１５０は、検出モジュール１３０の抵抗値の変化により双方向サイリスタ１６０の位相角を変更し、これによりファンの回転速度を速くするときの変化率を変化することができる。また、ファンを定格の最高回転速度で回転することができる。
【００１７】
（第２実施形態）
次に本考案のファン回転速度制御回路の第２実施形態について説明する。第２実施形態は、第１実施形態に対して検出モジュールが有する抵抗の数が異なる。なお、第１実施形態と実質的に同一の部位には同一の符号を付し、説明を省略する。
【００１８】
図５には、第２実施形態のファン回転速度制御回路を示す。
第２実施形態のファン回転速度制御回路の検出モジュール１３０は、第二抵抗器１３３を更に有する。第二抵抗器１３３は、検出素子１３２及びキャパシタ１４０にそれぞれ電気的に接続される。
【００１９】
第２実施形態のファン回転速度制御回路の回転速度の変化を図６に示す。検出素子１３２に直列接続する第二抵抗器１３３によりファンの回転速度が速くなる場合、第一傾斜線Ｓ１とは異なる第二斜率線Ｓ２となる。
【００２０】
（他の実施形態）
上述の実施形態では、検出素子は、正特性サーミスタとした。しかしながら、検出素子はこれに限定されない。負特性サーミスタ(ｎｅｇａｔｉｖｅ  ｔｅｍｐｅｒａｔｕｒｅ  ｃｏｅｆｆｉｃｉｅｎｔ  ｔｈｅｒｍｉｓｔｏｒ（ＮＴＣ  ｔｈｅｒｍｉｓｔｏｒ)や、光検出素子であってもよい。
【００２１】
以上、本考案はこのような実施形態に限定されるものではなく、考案の趣旨を逸脱しない範囲において、種々の形態で実施することができる。
【符号の説明】
【００２２】
１００・・・ファン回転速度制御回路、
１１０・・・交流電源、
１２０・・・コイル巻線、
１３０・・・検出モジュール、
１３１・・・第一抵抗器、
１３２・・・検出素子、
１３３・・・第二抵抗器、
１４０・・・キャパシタ、
１５０・・・トリガダイオード、
１６０・・・双方向サイリスタ、
１６１・・・第一端子、
１６２・・・第二端子、
１６３・・・ゲート、
２００・・・ファン回転速度制御回路、
２１０・・・交流電源、
２２０・・・コイル巻線、
２３０・・・抵抗器、
２４０・・・可変抵抗器、
２５０・・・キャパシタ、
２６０・・・トリガダイオード、
２７０・・・双方向サイリスタ、
２７１・・・ゲート。
【図１】
0003174467.tif 000003
【図２】
0003174467.tif 000004
【図３】
0003174467.tif 000005
【図４】
0003174467.tif 000006
【図５】
0003174467.tif 000007
【図６】
0003174467.tif 000008